(57)【特許請求の範囲】
【請求項１】
通信制御装置の位置情報を取得する位置情報取得部と、
時刻情報を取得する時刻情報取得部と、
ＷＰＳ（Ｗｉ−Ｆｉ  Ｐｒｏｔｅｃｔｅｄ  Ｓｅｔｕｐ（登録商標））規格に基づいて携帯通信端末との通信接続を行い、前記携帯通信端末から、所定の情報が付加された接続要求を受信した場合、前記位置情報と前記時刻情報をそれぞれ前記位置情報取得部と前記時刻情報取得部より受信し、記憶する制御部と
を備える通信制御装置。
【請求項２】
前記制御部は、所定の手段により記憶する位置情報の地図情報を要求された場合、前記位置情報に基づき地図情報を取得する請求項１に記載の通信制御装置。
【請求項３】
前記制御部は、前記携帯通信端末との通信が切断された場合、前記位置情報と前記時刻情報をそれぞれ前記位置情報取得部と前記時刻情報取得部より受信し、記憶する請求項１または２に記載の通信制御装置。
【請求項４】
ＷＰＳ（Ｗｉ−Ｆｉ  Ｐｒｏｔｅｃｔｅｄ  Ｓｅｔｕｐ（登録商標））規格に基づいて携帯通信端末との通信接続を行い、
前記携帯通信端末から、所定の情報が付加された接続要求を受信した場合、制御部が、通信制御装置の位置情報と時刻情報をそれぞれ位置情報取得部と時刻情報取得部より受信し、記憶する
通信制御装置の通信制御方法。
【請求項５】
所定の手段により記憶する位置情報の地図情報表示を要求された場合、制御部が、前記位置情報に基づき地図情報を取得する請求項４に記載の通信制御装置の通信制御方法。
【請求項６】
前記携帯通信端末との通信が切断された場合、前記制御部が、前記通信制御装置の前記位置情報と前記時刻情報をそれぞれ前記位置情報取得部と前記時刻情報取得部より受信し、記憶する請求項４または５に記載の通信制御装置の通信制御方法。
【請求項７】
ＷＰＳ（Ｗｉ−Ｆｉ  Ｐｒｏｔｅｃｔｅｄ  Ｓｅｔｕｐ（登録商標））規格に基づいて携帯通信端末との通信接続を行い、
前記携帯通信端末から、所定の情報が付加された接続要求を受信した場合、通信制御装置の位置情報と時刻情報をそれぞれ位置情報取得部と時刻情報取得部より受信し、記憶する処理
をコンピュータに実行させるプログラム。
【請求項８】
所定の手段により記憶する位置情報の地図情報表示を要求された場合、前記位置情報に基づき地図情報を取得する処理をコンピュータに実行させる請求項７に記載のプログラム。
【請求項９】
前記携帯通信端末との通信が切断された場合、前記通信制御装置の前記位置情報と前記時刻情報をそれぞれ前記位置情報取得部と前記時刻情報取得部より受信し、記憶する処理
をコンピュータに実行させる請求項７または８に記載のプログラム。
【発明の詳細な説明】
【技術分野】
【０００１】
本発明は、携帯通信端末の通信を制御する通信制御装置、通信制御方法、及びそのためのプログラムに関する。
【背景技術】
【０００２】
通信接続する携帯通信端末の紛失時の捜索を容易にする通信制御装置が知られている。この通信制御装置は、通信接続する携帯通信端末の現在位置情報と時刻情報を記録する。この現在位置情報と時刻情報を参照することで、利用者は携帯通信端末を紛失した時間と場所を推測し、携帯通信端末を捜索する。
【０００３】
通信制御装置の一例が特許文献１に記載されている。特許文献１に記載されたロケータシステムの携帯情報端末は、専用であるロケータ用プロトコルを用いてロケータと通信する。また、携帯情報端末は、定期的にロケータを呼出す動作をするとともにＧＰＳによる位置情報演算を行って、自己位置データと時刻情報と呼出しに対するロケータからの応答信号を正常に受信したか否かを記憶部に保存する。
【先行技術文献】
【特許文献】
【０００４】
【特許文献１】特開２０１４−１２０７９９号公報
【発明の概要】
【発明が解決しようとする課題】
【０００５】
しかしながら、上述した特許文献１に記載された技術は、ロケータからの応答信号を正常に受信したか否かにかかわらず、定期的に自己位置データと時刻情報を記憶部に保存する。したがって、特許文献１に記載された技術は、大容量の記憶装置が必要という問題点がある。
【０００６】
本発明の目的の一例は、上述した問題点を解決できる通信制御装置、通信制御方法およびプログラムを提供することにある。具体的には、本発明の目的の一例は、携帯通信端末を捜索するための情報の量を削減し、コストダウンや小型化が可能な通信制御装置等を提供することである。
【課題を解決するための手段】
【０００７】
本発明の一形態における第１の通信制御装置は、通信制御装置の位置情報を取得する位置情報取得部と、時刻情報を取得する時刻情報取得部と、携帯通信端末との通信を接続した場合、または携帯通信端末との通信が切断された場合、位置情報と時刻情報をそれぞれ位置情報取得部と時刻情報取得部より受信し、記憶する制御部とを備える。
【０００８】
本発明の一形態における第１の通信制御装置の通信制御方法は、携帯通信端末との通信を接続した場合、または携帯通信端末との通信が切断された場合、制御部が、通信制御装置の位置情報と時刻情報をそれぞれ位置情報取得部と時刻情報取得部より受信し、記憶する。
【０００９】
本発明の一形態における第１のプログラムは、コンピュータに、携帯通信端末との通信を接続した場合、または携帯通信端末との通信が切断された場合、通信制御装置の位置情報と時刻情報をそれぞれ位置情報取得部と時刻情報取得部より受信し、記憶する処理を実行させる。
【発明の効果】
【００１０】
本発明によれば、携帯通信端末を捜索するための情報の量を削減し、コストダウンや小型化が可能となるという効果が得られる。
【図面の簡単な説明】
【００１１】
【図１】図１は、本発明の第１の実施の形態における通信制御装置１００の構成と携帯通信端末２００との接続を示すブロック図である。
【図２】図２は、第１の実施の形態における制御部１３０が記憶する接続情報の一例を示す表である。
【図３】図３は、本発明の第１の実施の形態における通信制御装置１００をコンピュータ装置で実現した場合のハードウェア構成例を示す図である。
【図４】図４は、第１の実施の形態における通信制御装置１００での携帯通信端末２００の接続情報更新の動作の概要を示すフローチャートである。
【図５】図５は、変形例における制御部１３０が記憶する接続情報の一例を示す表である。
【図６】図６は、本発明の第２の実施形態に係る通信制御装置１０１の構成を示すブロック図である。
【図７】図７は、第２の実施形態に係る通信制御装置１０１が受信するＷＰＳ規格に基づく接続要求（Ａｓｓｏｃｉａｔｉｏｎ  Ｒｅｑｕｅｓｔフレーム）の概要の一例を示す図である。
【図８】図８は、第２の実施の形態における通信制御装置１０１での携帯通信端末２００の通信確立済の接続情報更新の動作の概要を示すフローチャートである。
【図９】図９は、第２の実施の形態における通信制御装置１０１での携帯通信端末２００の通信切断の接続情報更新の動作の概要を示すフローチャートである。
【発明を実施するための形態】
【００１２】
次に、本発明の実施形態について図面を参照して詳細に説明する。
【００１３】
［第１の実施の形態］
図１は、本発明の第１の実施の形態における通信制御装置１００の構成と携帯通信端末２００との接続を示すブロック図である。図１を参照すると、通信制御装置１００は、位置情報取得部１１０と時刻情報取得部１２０と制御部１３０と、を備える。また、通信制御装置１００は、１つないし複数の携帯通信端末２００と無線通信により接続する。また、説明の簡略化のため、本実施形態では通信制御装置１００は、１つの携帯通信端末２００と無線通信により接続することとする。
【００１４】
通信制御装置１００は、携帯通信端末２００のユーザが図示しない所定のネットワークとの通信を実施するために携帯している装置（デバイス）である。たとえば、通信制御装置１００は、１つないし複数の携帯通信端末２００を所定のネットワークに接続するモバイルルータの機能の一つとして実現可能である。しかし、本来のモバイルルータの機能である１つないし複数の携帯通信端末２００をネットワークに接続する機能の説明は、本実施形態の動作の説明の範囲外であるため省略する。
【００１５】
本発明の実施の形態の前提として、ユーザは、携帯通信端末２００を紛失する可能性があるが、ユーザはその紛失時に、通信制御装置１００を携帯しているものとする。
【００１６】
次に、第１の実施の形態における通信制御装置１００の構成について説明する。
【００１７】
位置情報取得部１１０は、通信制御装置１００の現在位置を示す情報を取得する。現在位置を示す情報の取得方法はどのような方法でもよい。たとえば現在位置を示す情報は、ＧＰＳ（Ｇｌｏｂａｌ  Ｐｏｓｉｔｉｏｎｉｎｇ  Ｓｙｓｔｅｍ）衛星から電波を受信し現在位置を示す情報を取得してもよいし、移動体通信の基地局の位置情報、あるいは無線ＬＡＮの位置情報を取得してもよい。
【００１８】
時刻情報取得部１２０は、現在の時刻情報を取得する。時刻情報の取得の方法は、通信制御装置１００内の図示しない時刻情報管理部から取得してもよいし、外部の時刻管理サーバに通信し時刻情報を取得する方法でもよい。
【００１９】
制御部１３０は、携帯通信端末２００の接続状況に基づき、接続情報を記憶する。具体的には、携帯通信端末２００が通信制御端末１００との接続を確立した場合、制御部１３０は、現在位置を示す情報と現在の時刻情報を、それぞれ位置情報取得部１１０と時刻情報取得部１２０から受信し、図示しない記憶部に記憶する。同様に、携帯通信端末２００が通信制御端末１００との接続を切断した場合も、制御部１３０は、現在位置を示す情報と現在の時刻情報を受信し、図示しない記憶部に記憶する。このように、制御部１３０は、携帯通信端末２００との通信が確立もしくは切断された場合に、通信制御装置１００の現在位置を示す情報と時刻情報を受信し記憶部に記憶することで、記憶部に記憶される情報量を制限することができる。
【００２０】
図２は、第１の実施の形態における制御部１３０が記憶する接続情報の一例を示す表である。図２を参照すると、「項番」と「端末情報」と「接続状況」と「時間」と「位置」が記録されている。本実施形態では通信制御装置１００は、１つの携帯通信端末２００と無線通信により接続することとするため、接続情報は１列しか記録されていない。複数の携帯通信端末２００と無線通信により接続する場合、接続情報は、接続する携帯通信端末２００の台数だけの列が記録される。「項番」は、通信制御端末１００に接続する携帯通信端末２００が複数であった場合に、所定のルールで振る番号である。所定のルールとは時系列順でも携帯通信端末２００の機種別でも何でもよい。「端末情報」は、通信制御端末１００に接続する携帯通信端末２００をネットワーク上で認識する情報であり、例えば携帯通信端末２００のＭＡＣ（Ｍｅｄｉａ  Ａｃｃｅｓｓ  Ｃｏｎｔｒｏｌ）アドレスである。複数の携帯通信端末２００同士の判別のため、「端末情報」の他に別途個々に端末名を設定し、接続情報の一つとして記憶してもよい。「接続状況」は、当該携帯通信端末２００が通信制御装置１００と通信確立しているか否か（通信切断しているか）を示す情報である。「時間」は、当該携帯通信端末２００が「接続状況」に示す状態になった時点の時間情報である。また、「位置」は、当該携帯通信端末２００が「接続状況」に示す状態になった、通信制御端末１００の位置を示す位置情報である。
【００２１】
以上、要約すると、本発明の実施の形態の通信制御装置１００は、通信制御装置の位置情報を取得する位置情報取得部１１０と、時刻情報を取得する時刻情報取得部１２０と、制御部１３０とを含む。制御部１３０は、携帯通信端末２００との通信を接続した場合、または携帯通信端末２００との通信が切断された場合、位置情報と時刻情報をそれぞれ位置情報取得部１１０と時刻情報取得部１２０より受信し、記憶する。
【００２２】
図３は、本発明の第１の実施の形態における通信制御装置１００をコンピュータ装置で実現した場合のハードウェア構成例を示す図である。図３に示されるように、通信制御装置１００は、それぞれ通信インタフェース１０、ＣＰＵ１１、主記憶装置１４、および二次記憶装置１５を含む。
【００２３】
通信インタフェース１０は、処理装置および周辺端末との通信のための入出力インタフェースを構成する。また通信インタフェース１０は、通信制御装置１００に接続する携帯通信端末２００や図示しないネットワークとの接続制御のためのインタフェースも含む。
【００２４】
ＣＰＵ１１は、オペレーティングシステムを動作させて本発明の第１の実施の形態に係る通信制御装置１００の全体を制御する。また、ＣＰＵ１１は、例えば二次記憶装置１５から主記憶装置１４にプログラムまたはデータを読み出す。具体的には、通信制御装置１００のＣＰＵ１１は、第１の実施の形態における位置情報取得部１１０と時刻情報取得部１２０と制御部１３０として動作し、それぞれプログラム制御に基づいて各種の処理を実行する。また、通信制御装置１００のＣＰＵ１１は、１つに限らず２つ以上備えていてもよい。
【００２５】
主記憶装置１４は、ＣＰＵ１１の制御に基づく作業用メモリである。
【００２６】
二次記憶装置１５は、例えば光ディスク、フレキシブルディスク、磁気光ディスク、外付けハードディスク、または半導体メモリ等であって、コンピュータプログラムをコンピュータ読み取り可能に記録する。二次記憶装置１５は、通信制御装置１００が実行するためのコンピュータプログラムを一時的に記憶するまたは非一時的に記憶する。したがって、ＣＰＵ１１は、二次記憶装置１５に記録されているコンピュータプログラムを読み込み、そのプログラムにしたがって、位置情報取得部１１０と時刻情報取得部１２０と制御部１３０として動作してもよい。また、コンピュータプログラムは、通信網に接続されている図示しない外部コンピュータからダウンロードされてもよい。
【００２７】
なお、第１の実施の形態の説明において利用されるブロック図（図１）には、機能単位のブロックが示されている。これらの機能ブロックは、図３に示すコンピュータ装置に限らず、各部がハードウェア回路によって実現されてもよい。ただし、通信制御装置１００が備える各部の実現手段は特に限定されない。すなわち、通信制御装置１００は、物理的に結合した１つの装置により実現されてもよいし、物理的に分離した２つ以上の装置を有線または無線で接続し、これら複数の装置により実現されてもよい。
【００２８】
以上のように構成された通信制御装置１００の動作について、図４のフローチャートを参照して説明する。
【００２９】
図４は、第１の実施の形態における通信制御装置１００での携帯通信端末２００の接続情報更新の動作の概要を示すフローチャートである。尚、このフローチャートによる処理は、前述したＣＰＵによるプログラム制御に基づいて、実行されても良い。
【００３０】
図４に示すように、まず、携帯通信端末２００との通信が確立した場合、もしくは携帯通信端末２００との通信が切断された場合、制御部１３０は、通信制御装置１００の現在位置を示す情報と現在の時刻情報を受信する（ステップＳ１０１）。通信制御装置１００の現在位置を示す情報と現在の時刻情報は、それぞれ位置情報取得部１１０と時刻情報取得部１２０から受信する。
【００３１】
次に、携帯通信端末２００との通信が確立した場合（ステップＳ１０２でＹＥＳ）かつ図示しない記憶部に記憶する接続情報（図２）に携帯通信端末２００の接続情報が登録されていない場合（ステップＳ１０３でＮＯ）、制御部１３０は、次のように動作する。すなわち、制御部１３０は、「接続状況」を通信確立済として携帯通信端末２００の端末情報とステップＳ１０１で受信した通信制御装置１００の現在位置を示す情報と現在の時刻情報を、記憶部に記憶する接続情報に追加し、処理を終了する（ステップＳ１０４）。携帯通信端末２００の接続情報が登録されている場合（ステップＳ１０３でＹＥＳ）、制御部１３０は、当該列の「接続状況」を通信確立済としてステップＳ１０１で受信した通信制御装置１００の現在位置を示す情報と現在の時刻情報を上書きすることによって更新し、処理を終了する（ステップＳ１０５）。
【００３２】
次に、携帯通信端末２００との通信が切断された場合（ステップＳ１０６でＹＥＳ）、制御部１３０は、当該列の「接続状況」を通信切断としてステップＳ１０１で受信した通信制御装置１００の現在位置を示す情報と現在の時刻情報を上書きすることによって更新する（ステップＳ１０７）。
【００３３】
以上で、通信制御装置１００は、携帯通信端末２００の接続情報更新の動作を終了する。
【００３４】
次に、本発明の第１の実施の形態の効果について説明する。
【００３５】
上述した本実施形態における通信制御装置１００は、装置内の記憶装置の容量を小型化し、通信制御装置のコストダウンや小型化が可能である。
【００３６】
その理由は、以下のような構成を含むからである。即ち、携帯通信端末２００との通信が確立もしくは切断された場合、制御部１３０は、通信制御装置１００の位置情報と時刻情報をそれぞれ位置情報取得部１１０と時刻情報取得部１２０から受信し、記憶するからである。このため、通信制御装置１００は、装置内の記憶装置に記憶する接続情報が限られ、記憶装置の容量を増やすことなく、通信制御装置のコストダウンや小型化が可能となるという効果が得られる。
【００３７】
また、通信制御装置１００の位置情報と時刻情報をそれぞれ記憶するときには、すでに記憶されている内容を更新することで、上記の効果を高めることができる。また、接続情報が登録されていない携帯通信端末２００との通信が確立した場合、すなわち通信制御装置１００と初めて通信する場合、制御部１３０は、携帯通信端末２００の接続情報を追加する。これにより、制御部１３０は、接続した携帯通信端末２００の数の接続情報を扱うことができる。したがって、通信制御装置１００が扱う情報量をさらに限定することができ、通信制御装置のコストダウンや小型化にさらに寄与するという効果が得られる。
【００３８】
なお、変形例として、制御部１３０は、図示しない記憶部に記憶する接続情報の現在位置を示す情報に基づき地図を取得してもよい。図５は、変形例における制御部１３０が記憶する接続情報の一例を示す表である。具体的には、接続情報は、図２に示す接続情報の他に、新たに地図情報を備える。制御部１３０が地図情報を取得する方法は以下のとおりである。まず、携帯通信端末２００の接続情報更新の動作を行った場合、制御部１３０は、Ｇｏｏｇｌｅ（登録商標）マップなどの地図表示サービスに更新した現在位置を示す情報を送信する。制御部１３０は、地図表示サービスから現在位置を示す情報に対応付けられた地図情報を取得し、接続情報の要素の１つとして記憶する。取得した地図情報を記憶部の所定の領域に記憶し、その領域を示すアドレスを接続情報の要素の１つとして記憶してもよい。また、制御部１３０は、記憶した地図情報を所定の表示手段に表示して利用者に通知してもよい。このような変形例における通信制御装置１００は、位置情報を利用者に直感的に理解しやすい地図情報として提供可能である。
【００３９】
［第２の実施形態］
次に、本発明の第２の実施形態について図面を参照して詳細に説明する。以下、本実施形態の説明が不明確にならない範囲で、前述の説明と重複する内容については説明を省略する。
【００４０】
図６は、本発明の第２の実施形態に係る通信制御装置１０１の構成を示すブロック図である。
【００４１】
図６を参照すると、本実施形態における通信制御装置１０１は、第１の実施形態のそれと比べて、制御部１３０の代わりに制御部１３１を備える。
【００４２】
通信制御装置１０１は、携帯通信端末２００と無線ＬＡＮ（Ｌｏｃａｌ  Ａｒｅａ  Ｎｅｔｗｏｒｋ）、たとえばＷＰＳ（Ｗｉ−Ｆｉ  Ｐｒｏｔｅｃｔｅｄ  Ｓｅｔｕｐ（登録商標））規格に基づいて通信接続を行う。
【００４３】
制御部１３１は、通信制御装置１０１が携帯通信端末２００との接続を確立する際に、情報エレメントを付加されたＷＰＳ規格に基づく接続要求（Ａｓｓｏｃｉａｔｉｏｎ  Ｒｅｑｕｅｓｔフレーム）を受信した場合、携帯通信端末２００に対してＷＰＳ規格に基づく接続応答（Ａｓｓｏｃｉａｔｉｏｎ  Ｒｅｓｐｏｎｓｅフレーム）を送信し、接続の処理を開始する（ただしこの処理は、携帯通信端末２００の接続情報更新の処理には関わらないため、以降は割愛する）。この処理と同時に、第１の実施形態と同様、制御部１３１は、現在位置を示す情報と現在の時刻情報を、それぞれ位置情報取得部１１０と時刻情報取得部１２０から受信し、図示しない記憶部に記憶する。情報エレメントを付加された接続要求とは、具体的にはＤａｔａ領域のビットのうち、所定のビットを“１”に設定され、携帯通信端末２００から通信制御装置１０１に送信されるＡｓｓｏｃｉａｔｉｏｎ  Ｒｅｑｕｅｓｔフレームのことである。また、無線電波状況の悪化等により通信制御装置１０１と携帯通信端末２００との間で通信ができなくなった場合、通信制御装置１０１は携帯通信端末２００にＷＰＳ規格に基づく切断通知（Ｄｅａｕｔｈｅｎｔｉｃａｔｉｏｎフレーム）を送信する。Ｄｅａｕｔｈｅｎｔｉｃａｔｉｏｎフレームの送信をもって、制御部１３１は、通信制御装置１０１が携帯通信端末２００との通信が切断されたと判断する。
【００４４】
図７は、第２の実施形態に係る通信制御装置１０１が受信するＷＰＳ規格に基づく接続要求（Ａｓｓｏｃｉａｔｉｏｎ  Ｒｅｑｕｅｓｔフレーム）の概要の一例を示す図である。図７を参照すると、Ａｓｓｏｃｉａｔｉｏｎ  Ｒｅｑｕｅｓｔフレームは、１オクテットのＥｌｅｍｅｎｔ  ＩＤフィールドと、１オクテットのＬｅｎｇｔｈフィールドと、４オクテットのＯＵＩ（Ｏｒｇａｎｉｚａｔｉｏｎａｌｌｙ  Ｕｎｉｑｕｅ  Ｉｄｅｎｔｉｆｉｅｒ）フィールドと、それ以降の可変長のオクテットのＤａｔａフィールドで構成される。本実施形態では、Ａｓｓｏｃｉａｔｉｏｎ  ＲｅｑｕｅｓｔフレームのＤａｔａフィールドの最上位ビットを“１”に設定することで、接続要求に情報エレメントが付加された状態とする。制御部１３１は、通信制御装置１０１がこのような接続要求を受信した場合、現在位置を示す情報と現在の時刻情報を受信し、図示しない記憶部に記憶する。
【００４５】
図８は、第２の実施の形態における通信制御装置１０１での携帯通信端末２００の通信確立済の接続情報更新の動作の概要を示すフローチャートである。尚、このフローチャートによる処理は、前述したＣＰＵによるプログラム制御に基づいて、実行されても良い。
【００４６】
図８に示すように、まず、携帯通信端末２００からＷＰＳ規格に基づく接続要求（Ａｓｓｏｃｉａｔｉｏｎ  Ｒｅｑｕｅｓｔフレーム）を受信した場合（ステップＳ２０１でＹＥＳ）、制御部１３１は、接続要求に情報エレメントが付加されているか確認する（ステップＳ２０２）。もし、情報エレメントが付加されていない場合（ステップＳ２０２でＮＯ）、制御部１３１は、処理を終了する（ＷＰＳ規格に基づく接続の処理は続行するが、前述のとおり本実施形態では割愛する）。情報エレメントが付加されている場合（ステップＳ２０２でＹＥＳ）、次に、制御部１３１は、通信制御装置１０１の現在位置を示す情報と現在の時刻情報を受信する（ステップＳ２０３）。通信制御装置１０１の現在位置を示す情報と現在の時刻情報は、それぞれ位置情報取得部１１０と時刻情報取得部１２０から受信する。
【００４７】
次に、図示しない記憶部に記憶する接続情報の表に携帯通信端末２００の接続情報が登録されていない場合（ステップＳ２０４でＮＯ）、制御部１３１は、「接続状況」を通信確立済として携帯通信端末２００の端末情報とステップＳ２０３で受信した通信制御装置１０１の現在位置を示す情報と現在の時刻情報を追加し終了する（ステップＳ２０５）。携帯通信端末２００の接続情報が登録されている場合（ステップＳ２０４でＹＥＳ）、制御部１３１は、当該列の「接続状況」を通信確立済としてステップＳ２０３で受信した通信制御装置１０１の現在位置を示す情報と現在の時刻情報を上書きし更新し終了する（ステップＳ２０６）。
【００４８】
以上で、通信制御装置１０１は、携帯通信端末２００の通信確立済の接続情報更新の動作を終了する。
【００４９】
図９は、第２の実施の形態における通信制御装置１０１での携帯通信端末２００の通信切断の接続情報更新の動作の概要を示すフローチャートである。尚、このフローチャートによる処理も、前述したＣＰＵによるプログラム制御に基づいて、実行されても良い。
【００５０】
図９に示すように、まず、携帯通信端末２００との通信の切断を検知した場合（ステップＳ３０１でＹＥＳ）、通信制御装置１０１は携帯通信端末２００にＷＰＳ規格に基づく切断通知（Ｄｅａｕｔｈｅｎｔｉｃａｔｉｏｎフレーム）を送信する（ステップＳ３０２）。
【００５１】
次に、制御部１３１は、通信制御装置１０１の現在位置を示す情報と現在の時刻情報を受信する（ステップＳ３０３）。通信制御装置１０１の現在位置を示す情報と現在の時刻情報は、それぞれ位置情報取得部１１０と時刻情報取得部１２０から受信する。
【００５２】
次に、制御部１３１は、当該列の「接続状況」を通信切断としてステップＳ３０３で受信した通信制御装置１０１の現在位置を示す情報と現在の時刻情報を上書きし更新し終了する（ステップＳ３０４）。
【００５３】
以上で、通信制御装置１０１は、携帯通信端末２００の通信切断の接続情報更新の動作を終了する。
【００５４】
次に、本発明の第２の実施の形態の効果について説明する。
【００５５】
上述した本実施形態における通信制御装置１０１は、通信機器が対応する汎用的なプロトコルで適用可能なため、追加開発規模の低減が可能である。
【００５６】
その理由は、以下のような構成を含むからである。即ち、第１に通信制御装置１０１は、携帯通信端末２００とＷＰＳ（Ｗｉ−Ｆｉ  Ｐｒｏｔｅｃｔｅｄ  Ｓｅｔｕｐ（登録商標））規格に基づいて通信接続を行う。第２に、制御部１３１は、携帯通信端末２００からＷＰＳ規格に基づく接続要求（Ａｓｓｏｃｉａｔｉｏｎ  Ｒｅｑｕｅｓｔフレーム）を受信した場合、携帯通信端末２００の通信確立済の接続情報更新の動作を実施する。また、制御部１３１は、携帯通信端末２００との通信の切断を検知した場合、携帯通信端末２００にＷＰＳ規格に基づく切断通知（Ｄｅａｕｔｈｅｎｔｉｃａｔｉｏｎフレーム）を送信する。ＷＰＳ規格は通信機器が対応する汎用的なプロトコルである。そのため、通信制御装置１０１は、本実施形態における上述した特許文献１のような専用であるロケータ用プロトコルよりも安価に開発できる。したがって、通信制御装置１０１は、通信機器が対応する汎用的なプロトコルで適用可能なため、追加開発規模の低減が可能という効果が得られる。
【００５７】
以上説明した、本発明の各実施形態における各構成要素は、その機能をハードウェア的に実現することはもちろん、プログラム制御に基づくコンピュータ装置、ファームウェアで実現することができる。プログラムは、磁気ディスクや半導体メモリなどのコンピュータ可読記録媒体に記録されて提供され、コンピュータの立ち上げ時などにコンピュータに読み取られる。この読み取られたプログラムは、そのコンピュータの動作を制御することにより、そのコンピュータを前述した各実施の形態における構成要素として機能させる。
【００５８】
以上、各実施の形態を参照して本発明を説明したが、本発明は上記実施の形態に限定されるものではない。本発明の構成や詳細には、本発明のスコープ内で当業者が理解しえる様々な変更をすることができる。
【００５９】
たとえば、以上の各実施形態で説明した各構成要素は、必ずしも個々に独立した存在である必要はない。例えば、各構成要素は、複数の構成要素が１個のモジュールとして実現されたり、一つの構成要素が複数のモジュールで実現されたりしてもよい。また、各構成要素は、ある構成要素が他の構成要素の一部であったり、ある構成要素の一部と他の構成要素の一部とが重複していたり、といったような構成であってもよい。
【００６０】
また、以上説明した各実施形態では、複数の動作をフローチャートの形式で順番に記載してあるが、その記載の順番は複数の動作を実行する順番を限定するものではない。このため、各実施形態を実施するときには、その複数の動作の順番は内容的に支障しない範囲で変更することができる。
【符号の説明】
【００６１】
１０    通信インタフェース
１１    ＣＰＵ
１４    主記憶装置
１５    二次記憶装置
１００、１０１    通信制御装置
１１０    位置情報取得部
１２０    時刻情報取得部
１３０、１３１    制御部
２００    携帯通信端末
【図１】
0006567932.tif 000002
【図２】
0006567932.tif 000003
【図３】
0006567932.tif 000004
【図４】
0006567932.tif 000005
【図５】
0006567932.tif 000006
【図６】
0006567932.tif 000007
【図７】
0006567932.tif 000008
【図８】
0006567932.tif 000009
【図９】
0006567932.tif 000010